(57)【要約】【課題】タバコの損傷や包装紙の汚れを回避する芳香が付けられたタバコの箱を提供する。【解決手段】芳香が付けられたタバコの箱は、少なくとも１つのタバコ（２）を包む包装材（９）を備え、包装材（９）の内側に芳香が付けられた領域（１８）が形成されており、直接に接触する結果として生じ得る悪化を回避するために、保護要素（３８，３８’）がタバコ（２）と芳香が付けられた領域（１８）との間に配置される。【選択図】図１
2010241504.tif 000002
【特許請求の範囲】
【請求項１】
タバコ（２）を包む少なくとも１つの包装材（９）を備える芳香が付けられたタバコの箱であって、
包装材（９）の内側の芳香が付けられた領域（１８）と、
タバコ（２）と芳香が付けられた領域（１８）との間に配置され、包装材（９）が補強される挿入材（１２）からなる保護要素（３８，３８’）とを備え、
芳香が付けられた領域（１８）は、挿入材（１２）に付けられた芳香物質に存在することを特徴とする、タバコの箱。
【請求項２】
芳香が付けられた領域（１８）は、粘着ラベル（１５，１５’）に付けられた芳香物質に存在することを特徴とする、請求項１に記載の箱。
【請求項３】
粘着ラベル（１５）は、挿入材（１２）に付けられていることを特徴とする、請求項２に記載の箱。
【請求項４】
保護要素（３８’）は、包装材（９）に付けられた粘着ラベル（１５’）に存在することを特徴とする、請求項１に記載の箱。
【請求項５】
少なくとも２つのタバコの群（１０）を備え、それぞれの群が、個別の包装材（９）で包まれており、芳香が付けられた領域（１８）は、それぞれの群（１０）に付随することを特徴とする、請求項１から４のいずれか一項に記載の箱。
【請求項６】
包装材（９）と、それぞれの個別のタバコ（２）に付随するそれぞれの芳香が付けられた領域（１８）とを備えることを特徴とする、請求項１から５のいずれか一項に記載の箱。
【請求項７】
包装材（９）は、金属箔または金属化紙により形成されていることを特徴とする、請求項１から６のいずれか一項に記載の箱。
【請求項８】
タバコ（２）を運ぶ供給搬送機（２６）と、
タバコ（２）が包装材（９）に包まれる包装装置（Ｐ）とを備える芳香が付けられたタバコの箱を製造する包装機械であって、
それぞれの包装材（９）の内側に芳香が付けられた領域（１８）を形成する芳香を付ける装置（２２）と、
タバコ製品（２）と上記包装材（９）との間に配置され、保護要素（３８，３８’）がそれぞれの単一の包装材（９）の対になっている供給装置（２１）とを備えることを特徴とする、包装機械。
【請求項９】
芳香を付ける装置（２２）は、芳香物質が保護要素（３８，３８’）の表面に向けられる分配手段（３５）を備えることを特徴とする、請求項８に記載の包装機械。
【請求項１０】
芳香を付ける装置（２２）は、粘着ラベル（１５，１５’）を提供する供給装置と、芳香物質が粘着ラベル（１５，１５’）の表面に向けられる分配手段（３５）とを備えることを特徴とする、請求項８に記載の包装機械。
【発明の詳細な説明】
【技術分野】
【０００１】
本発明は、芳香が付けられたタバコの箱に関連し、および、その箱を製造するための包装機械に関する。
【背景技術】
【０００２】
従来の技術においては、箱を形成し、問題になっている種類の製品のために用いられる箱を形成しながら、１つの包装材料の表面に芳香液体を吹き付けることを含む芳香を付ける作業が採用されている。
【０００３】
例えば、タバコの包装体の場合には、すなわち、タバコの群を包む金属箔紙の内側包装材と、紙または厚紙の材料の外側包装材とを備える箱では、包装作業の工程の期間において、タバコに直接的に接触ことが生じる金属箔紙の包装材の内側表面を液体の芳香剤で濡らすことが実務である。
【先行技術文献】
【特許文献】
【０００４】
【特許文献１】米国特許第３９９９６５５号明細書
【特許文献２】独国特許発明第４３３０００６号明細書
【発明の概要】
【発明が解決しようとする課題】
【０００５】
明らかに、包装材を定められた位置に配置すると、金属箔紙の濡らされた内側表面と、タバコの包装紙との間で直接的な接触が生じ、そして、タバコが損傷を受け得る、特に、包装紙が汚れた状態になる。
【０００６】
本発明の目的は、上述した種類の箱において生じる欠点に影響されないような従来の技術に反映する芳香が付けられたタバコの箱を提供することである。
【０００７】
本発明の更なる目的は、問題になっている種類の芳香が付けられた箱を製造する機械を提供し、特に、タバコの包装体を製造する機械を提供することである。
【課題を解決するための手段】
【０００８】
本発明の前述の目的は、添付の請求項に列挙されているような箱および機械において実現される。
【０００９】
本発明のタバコの箱は、タバコを包む少なくとも１つの包装材を備える芳香が付けられたタバコの箱であって、包装材の内側の芳香が付けられた領域と、タバコと芳香が付けられた領域との間に配置され、包装材が補強される挿入材からなる保護要素とを備える。芳香が付けられた領域は、挿入材に付けられた芳香物質に存在する。
【００１０】
上記発明において、芳香が付けられた領域は、粘着ラベルに付けられた芳香物質に存在することができる。
【００１１】
上記発明において、粘着ラベルは、挿入材に付けられることができる。
【００１２】
上記発明において、保護要素は、包装材に付けられた粘着ラベルに存在することができる。
【００１３】
上記発明においては、少なくとも２つのタバコの群を備え、それぞれの群が、個別の包装材で包まれており、芳香が付けられた領域は、それぞれの群に付随することができる。
【００１４】
上記発明においては、包装材と、それぞれの個別のタバコに付随するそれぞれの芳香が付けられた領域とを備えることができる。
【００１５】
上記発明においては、包装材は、金属箔または金属化紙により形成されていることができる。
【００１６】
本発明の包装機械は、タバコを運ぶ供給搬送機と、タバコが包装材に包まれる包装装置とを備える芳香が付けられたタバコの箱を製造する包装機械であって、それぞれの包装材の内側に芳香が付けられた領域を形成する芳香を付ける装置と、タバコ製品と上記包装材との間に配置され、保護要素がそれぞれの単一の包装材の対になっている供給装置とを備える。
【００１７】
上記発明において、芳香を付ける装置は、芳香物質が保護要素の表面に向けられる分配手段を備えることができる。
【００１８】
上記発明において、芳香を付ける装置は、粘着ラベルを提供する供給装置と、芳香物質が粘着ラベルの表面に向けられる分配手段とを備えることができる。
【図面の簡単な説明】
【００１９】
【図１】本発明に従ったタバコを含んだ箱または包装体の斜視図である。
【図２】図１を切断したときの図であり、正面から見たときの図である。
【図３】図１を詳細に見たときの斜視図である。
【図４】図１に示されるような包装体を製造する機械の詳細な斜視図である。
【図５】（ａ）は、図４を拡大した詳細図で、上側から見たときの平面図であり、（ｂ）は、図４の詳細図であり、図４の機械の代替的な実施形態を説明する。
【図６】図１に示される包装体の代替的な実施形態を示す斜視図である。
【図７】図４の機械の代替的な実施形態における詳細図であり、斜視図である。
【図８】図１に示されるような包装体を製造する機械の第２の詳細な図であり、斜視図である。
【図９】図８の詳細な図であり、斜視図である。
【発明を実施するための形態】
【００２０】
発明は、例示の方法により、添付する図を用いて以下に詳細に記述されるであろう。
【００２１】
図１を参照して、符号１は、例えばタバコ２を含むタバコ製品の包装体を示し、タバコの軸と平行に延びる軸Ａに並んでいるほぼ細長い平行六面体の形状を有している。
【００２２】
包装体１は、上述の軸Ａに対して交差して配置されている２つの端面３，４と、２つの大きな側壁５，６および２つの小さなまたは側面の壁７，８を含む４つの側面とを提供する。
【００２３】
包装体１は、１つの群１０に予め形成されたタバコ２に直接的に接触して配置される金属箔紙の内側包装材９と、紙材料の外側包装材１１とを備える。
【００２４】
図２および図４を参照して、包装体１は、さらに、厚紙または硬質の板紙の四角形の紙片を含み、Ｕ字形状に曲げられ、タバコ２の群１０に接触して配置される保護要素または挿入材１２を備える。この種類の挿入材を使用することは、例えば、特許公報ＤＥ４３３０００６およびＵＳ３９９６５５に開示されている。
【００２５】
挿入材１２は、タバコ２の末端に一致する群１０の底の端面に接触して配置される四角形の外形の中央パネル１３と、２つの折られる折り線に沿って、それぞれが中央パネル１３の短い辺に接続され、そして、タバコ２の円柱状の表面に一致する群１０の狭い側面に接触することが提供される一対の側方羽根部１４とを備える。
【００２６】
挿入材１２の１つの機能は、包装体１が包装機械により形成される様々な工程の期間中に、タバコ２に対して適切な程度の機械的な保護を提供する。
【００２７】
挿入材１２のもう１つの機能は、包装体１の強度を増加し、より優れた形状の安定性を提供し、特に、包装体に含まれるタバコ２が、喫煙者により徐々に取り出される限り、より優れた形状の安定性を提供する。
【００２８】
符号１５は、挿入材１２と内側包装材９との間に配置されている芳香が付けられた粘着ラベルを示し、中央パネル１３に付けられ、そして図３に利点が示されている。芳香が付けられた粘着ラベルは、パネル１３に接触する接着剤の層１６と、符号１８に示される芳香が付けられた領域を形成するために、外側に芳香物質が吹き付けられ、または被膜されたプラスチックまたは紙材料の中間裏当て層１７とを備える。
【００２９】
図４は、全体が符号１９によって示されているタバコの包装機の概略説明図であり、より一般的には、図１における種類の包装体を製造するために設計された機械の図である。
【００３０】
包装機１９は、タバコ２が群１０に形成される装置２０と、上述の挿入材１２を供給する供給装置２１と、芳香が付けられた粘着ラベル１５を供給する芳香を付ける装置２２とを備える。
【００３１】
群１０は、よく知られた種類の装置２０により形成され、その装置２０は、複数の溝２４に分割されたホッパー２３を備え、タバコ２の３つの積層された層を含む群１０は、環状のベルトコンベア２６により搬送されるポケット２５の中に供給される。ベルトコンベア２６は、２つの端のプーリ２８同士の間で緊張された水平方向の上側部分２７を提供し、プーリ２８の１つは、図には説明されていない駆動手段により、断続的に駆動されている。
【００３２】
挿入材１２は、よく知られた種類のような供給装置２１により、ポケット２５に供給され、供給装置２１は、ベルトコンベア２６の供給方向（矢印Ｆ）に対して、ホッパー２３の下流側の点において、上側部分２７に沿って配置されている。
【００３３】
符号２９により示されるケースに積み重ねられた挿入材１２は、ホッパーから取り出され、Ｕ字形状に曲げられ、そして、中央パネル１３がタバコ２の群１０の最も前側の端面に突き進み、２つの側方羽根部１４がポケット２５の側壁に沿って延びるように、それぞれのポケット２５と共に１組になる。
【００３４】
１つの実施可能な形態においては、芳香を付ける装置２２は、整列装置２０の下流において、前述のベルトコンベア２６の上側部分２７に沿って配置され、符号２２’により示される停止位置を占有し、そして、並んで配置されている２つのロール３０，３１を備え、プーリ２８の軸に直交して配置される鉛直方向の軸に中心が置かれている。
【００３５】
材料の細長材３２は、第１のロール３０から断続的に巻き解かれ、細長材３２の表面には単一のラベル１５が予め定められた間隔で継続的に離れて配置されており（図４）、それぞれは粘着層１６により貼り付けられている。
【００３６】
細長材３２は、後に通り道の終端においてロール３１に再び巻かれ、その通り道は、ベルトコンベア２６の上側部分２７とともに収束する方向に向かって前進する略水平方向に延びる第１の区間の部分３２ａと、第１の区間の部分３２ａの方向に逆行する方向に前進する第２の区間の部分３２ｂを備える。２つの区間の部分３２ａ，３２ｂは、３角形の切断面を有する方向転換要素３４により提供される鋭角部３３の両側の面に置かれている。
【００３７】
図５（ａ）において概略的に説明されている従来の方法に従えば、ポケット２５が始めに停止し、次に、上述の位置２２’を超えて前進を継続する時に、細長材３２は、鋭い方向転換を受け、その結果、順番に、それぞれのラベル１５が、次第にとり外され、関連するポケット２５に付随する対応の挿入材１２の中央パネル１３に移行される。
【００３８】
符号３５は、第１の区間の部分３２ａに沿って配置されている芳香液体の分配機を示し、圧力が印加されて液体で満たされている容器３６と、細長材３２の供給方向に関して位置２２’の上流側の地点において一時的に停止したときに、間欠的にそれぞれのラベル１５に噴流が向けられるノズル３７とを備える。
【００３９】
このように、それぞれの一連のラベル１５は、それぞれの芳香が付けられた領域１８が設けられる。
【００４０】
装置の代替的な実施形態に従えば、図５（ｂ）に説明されているように、芳香を付ける装置２２は、一方が他方の上に配置されている２つのロール３０，３１を備えることができ、ロール３０，３１は、プーリ２８の軸に直行して配置される水平方向の軸を中心とする。
【００４１】
この例においては、細長材３２は、ほぼ鉛直方向に上昇する区間の部分３２ａと、継続して下降する区間の部分３２ｂとを備え、区間の部分３２ａ，３２ｂは、ベルトコンベア２６の動きが一時的に停止する期間に、ラベル１５を取り外し、それぞれのラベル１５を対応するパネル１３に移行するように、三角形の切断面を有する方向転換要素３４により提供される鋭角部３３の両側に配置されている。
【００４２】
包装機１９は、さらに、ベルトコンベア２６の上側部分２７を超えて下流側に配置されている従来の種類の包装装置Ｐを備え、群１０およびそれぞれの挿入材１２は、ポケット２５から取り出され、そして、金属箔紙のそれぞれの包装材９に包まれ、次に、包装体１を完成させるために、紙材料の外側包装材１１の内部に配置される。
【００４３】
本発明に従った箱においては、従来技術の典型的な慣例の箱とは異なって、芳香を付ける液体は、ラベル１５の領域１８内に配置されたまま残り、そして、挿入材１２の作用によってタバコ２から分離され、挿入材１２は、結果として、タバコ２を遮蔽する働きを有する符号３８で示された保護要素として機能することは明らかである。
【００４４】
図６を参照して、符号３９は、タバコ２の２つの群１０を含むヒンジ連結された蓋の種類のタバコの包装体を示し、それぞれの群１０は、金属箔紙のそれぞれの包装材９により包まれている。
【００４５】
Ｕ字形状に曲げられた挿入材１２は、それぞれの群に使われ、そして、前に記述した包装体１と同様に、それぞれの芳香が付けられた領域１８を提供するラベル１５が、挿入材１２と、包装材９との間に配置されている。
【００４６】
この特定的な例においては、２つの群１０のラベル１５は、互いに異なる芳香を選択することにより変化させることもできる。
【００４７】
図７のタバコ包装機１９は、この機械によって生成される包装材の芳香が付けられた領域１８が、ノズル３７から直接的にそれぞれの中央パネル１３の部分に芳香液体を噴射することにより生成される点で、図４の包装機と異なっている。
【００４８】
図８は、前述の包装装置Ｐの一部分を形成し、金属箔紙のような包装材料の細長材４１を供給する働きを有する装置４０を説明し、細長材４１は、ロール４２から巻き解かれ、切断装置４３により分離されたリーフ部材４４に分割される。
【００４９】
機械のこの実施形態においては、図４の装置２２と同様であり、切断装置４３の上流側に作用する芳香を付ける装置は、芳香が付けられたラベル１５’を、最終的にタバコ２に接触して配置される細長材４１の表面に貼り付ける。
【００５０】
図９において説明されるように、ラベル１５’は、粘着層１６の中央に配置されている芳香が付けられた領域１８を提供し、粘着層１６は、紙材料の裏当て層１７’に取り付けられており、裏当て層１７’は、芳香が付けられた領域１８とタバコ２との間に配置される保護要素３８’としても機能する。材料のリーフ部材４４は、従来の包装装置（説明せず）の入り口において、群１０により進入が阻止される。
【００５１】
明らかに、図８の例においては、保護要素３８’を提供する供給装置２１は、細長材４１を提供する供給装置４０と同一の装置である。
【００５２】
芳香が付けられた領域１８は、１つ以上の群１０を含み、それぞれが説明された例の様な複数のタバコ２を含む箱に関連するだけではなく、それぞれのタバコ２が個別に包装された箱に関連することが理解されるだろう。
【００５３】
より厳密的には、この例で製造されている参照は、複数の包装材、それぞれの単一のタバコに対する包装材を含む特別な種類の箱であり、例えば、成型作業により形成されるであろう。
【００５４】
この種類の箱および包装材のために、タバコ２に関連付けられた芳香が付けられた領域は、単一の芳香または互いに異なる複数の芳香を提供し、それぞれのタバコ２と関連付けられたラベル１５との間に配置された保護要素（説明せず）とともに提供されるラベル１５からなることができる。
【符号の説明】
【００５５】
２    タバコ
９    包装材
１２    挿入材
１５，１５’    粘着ラベル
１８    芳香が付けられた領域
３５    分配機
３８，３８’    保護要素
２６    ベルトコンベア
Ｐ    包装装置
【図４】
2010241504.tif 000003
【図５】
2010241504.tif 000004
【図７】
2010241504.tif 000005
【図８】
2010241504.tif 000006
【図１】
2010241504.tif 000007
【図２】
2010241504.tif 000008
【図３】
2010241504.tif 000009
【図６】
2010241504.tif 000010
【図９】
2010241504.tif 000011